(57)【要約】      （修正有）【課題】部材点数が少ないので製作費を低減できるし、組立に熟練した技術は不要であり、しかも防災性能及び耐久性に優れていると共に、自然の景観にも調和することができる雪崩防止柵を提供する。【解決手段】離間して地盤に立設する一対の支柱１、１はＨ型鋼材からなる支柱本体２と、木製支柱カバー４とから構成してある。木製支柱カバー４は前面が凸湾曲面４Ａになり、後面が平坦面の半円柱体に形成してある。支柱１、１間には複数本の梁材が架設してある。各梁材１は鋼管からなる梁本体と、梁本体に被挿する木製梁カバー８から構成してある。木製梁カバー８は支柱１、１間に位置して梁本体に被挿する内側カバー部８Ａと、支柱１の外側に位置して梁本体に被挿する一対の外側カバー部８Ｂとから構成してある。【選択図】図３
0003106390.tif 000002
【実用新案登録請求の範囲】
【請求項１】
所定の間隔で地上に立設する一対の支柱と、該一対の支柱間に架設する複数本の梁材とからなる雪崩防止柵において、前記支柱は、金属製の支柱本体と、該支柱本体の前面に取着する木製支柱カバーとから構成し、前記複数本の梁材の各々は、金属製筒体からなり、前記支柱本体に締着部材により連結する梁本体と、該梁本体に被挿する筒状の木製梁カバーとから構成してあることを特徴とする雪崩防止柵。
【請求項２】
前記木製支柱カバーは、前面が凸湾曲面になり、後面が平坦面になった半円柱体に形成し、該凸湾曲面を前方に向けて前記支柱本体の前面に設けてあることを特徴とする請求項１記載の雪崩防止柵。
【請求項３】
前記木製梁カバーは、軸方向両端が開口した中空の木製筒体からなり、前記一対の支柱間に位置して前記梁本体に被挿する内側梁カバー材と、木製筒体からなり、該各支柱より外側に位置して該梁本体の軸端側に被挿する外側梁カバー材とから構成してあることを特徴とする請求項１記載の雪崩防止柵。
【請求項４】
前記支柱本体及び梁本体には、防錆処理を施してあることを特徴とする請求項１記載の雪崩防止柵。
【請求項５】
前記木製支柱カバー及び木製梁カバーには、防腐処理を施してあることを特徴とする請求項１記載の雪崩防止柵。
【考案の詳細な説明】
【技術分野】
【０００１】
本考案は、降雪地域の傾斜地に設置して雪崩を防止するための雪崩防止柵に関する。
【背景技術】
【０００２】
従来の雪崩防止柵は、一対の丸太材からなる支柱間に、複数本の梁材を架設し、ボルト・ナットで締結して構成したものからなっている。また、梁１及び支柱２を複数枚の木製カバー部材１１ａ、ｂ、・・、１２ａ、ｂ、・・からなる木製支柱カバー１１及び木製梁カバー１２で囲み、木製支柱カバー１１及び木製梁カバー１２を緊定部材２１、２２で締着した構成することにより景観の向上を図ったスノーガードが開示されている（特許文献１）。
【特許文献１】実開平５−６１２１３号公報
【考案の開示】
【考案が解決しようとする課題】
【０００３】
上述した従来技術のうち、木材を支柱と梁に使用して構成したものは、強度性即ち防災性能及び耐久性に劣るという欠点がある。また、梁１及び支柱２を複数枚の木製カバー部材１１ａ、１２ａで囲む構成のものは、複数枚の板材を組み付けるために部材点数が多く、施工性及び生産性に劣るという欠点があるし、板材を集合したものであるため、木質の素材感はあるが自然の感じに乏しいという欠点がある。
【０００４】
本考案は上述した従来技術の諸欠点に鑑みなされたもので、部材点数が少ないので製作費を低減できるし、組立に熟練した技術が不要であり、しかも防災性能及び耐久性に優れていると共に、景観の向上に資することのできる雪崩防止柵を提供することを目的とする。
【課題を解決するための手段】
【０００５】
上述した課題を解決するために構成された本考案の手段は、所定の間隔で地上に立設する一対の支柱と、該一対の支柱間に架設する複数本の梁材とからなる雪崩防止柵において、前記支柱は、金属製の支柱本体と、該支柱本体の前面に取着した木製支柱カバーとから構成し、前記複数本の梁材の各々は、金属製筒体からなり、前記支柱本体に締着部材により取着する梁本体と、該梁本体に被挿する筒状の木製梁カバーとからなる。
【０００６】
そして、前記木製支柱カバーは、前面が凸湾曲面になり、後面が平坦面になった半円柱体に形成し、該凸湾曲面を前方に向けて前記支柱本体の前面に設けた構成にするとよい。
【０００７】
また、前記木製梁カバーは、軸方向両端が開口した中空の木製筒体からなり、前記一対の支柱間に位置して前記梁本体に被挿する内側梁カバー材と、木製筒体からなり、該各支柱より外側に位置して該梁本体の軸端側に被挿する外側梁カバー材とから構成するとよい。
【０００８】
更に、前記支柱本体及び梁本体には、防錆処理を施すとよい。
【０００９】
また、前記木製支柱カバー及び木製梁カバーには、防腐処理を施すとよい。
【考案の効果】
【００１０】
本考案は上述の如く構成したから、下記の諸効果を奏する。
（１）支柱は、金属製の支柱本体と支柱本体の前面に取着した木製支柱カバーとから構成し、梁材は、金属製円柱からなる梁本体と梁本体に被挿する木製梁カバーとから構成し、支柱本体と梁本体は締着部材により直接連結する構成にしたから防災性能と耐久性に優れており、しかも簡単な被挿作業で木質感のある景観を損うことのない雪崩防止柵を製作することができる。
（２）木製支柱カバーは、前面が凸湾曲面で、後面が平坦面になった半円柱体に形成し、該凸湾曲面を前方に向けて支柱本体の前面に設けた構成にしたから、支柱を丸太状に目視させることができ、周囲の自然景観に調和する雪崩防止柵にできる。
（３）木製梁カバーは、一対の支柱間に位置して梁本体に被挿する内側梁カバー材と、梁本体の軸端側に被挿する外側梁カバー材とから構成し、支柱本体と連結する梁本体の連結部分が露出するようにし、支柱本体と梁本体を締着部材により直接連結することができるようにしたから、組み立ての作業性に優れているし、より強固に連結することができる。
（４）支柱本体及び梁本体に防錆処理を施すことにより、耐久性に優れた雪崩防止柵として使用することができるし、メンテナンスの負担を軽減することができる。
（５）木製支柱カバー及び木製梁カバーに防腐処理及び耐候性塗装を施すことにより、耐久性に優れた雪崩防止柵として使用することができるし、メンテナンスの負担を軽減することができる。
【考案を実施するための最良の形態】
【００１１】
以下、本考案の実施の形態を図面に基づき詳述する。図において、１、１は地盤Ａに所定の間隔離間して立設する一対の支柱を示す。２は該各支柱１を構成する支柱本体で、該支柱本体２には、前側と後側の一対の対向片２Ａ、２Ｂと、該一対の対向片２Ａ、２Ｂを連結する連結片２ＣとからなるＨ型鋼材を用いており、支柱本体２の表面には防錆処理が施してある。そして、支柱本体２は、下端にベースプレート３を溶接手段により固着すると共に鋼材からなるサポート３Ａによって補強してあり、地盤Ａに対して強固に、かつ安定性良く設置できるようにしてある。
【００１２】
４は前記支柱本体２の前面を覆う木製支柱カバーを示す。該木製支柱カバー４は例えば間伐材のからまつ材を半円柱体に成形したもので、表面は凸湾曲面４Ａをなし、支柱本体２に接合する裏面は平坦面４Ｂになっている。そして、木製支柱カバー４は平坦面４Ｂを支柱本体２の前側対向片２Ａに当接してボルト・ナット５、５、・・で締着してあり、支柱１は前方からは丸みのある丸太の支柱の如く目視することができる。
【００１３】
６、６、・・・は上述の構成からなる一対の支柱１、１間に上、下に適宜の間隔を存して架設した７本の梁材を示し、該各梁材６は、その長さを一対の支柱１、１間の距離より長く設定してある。７は各梁材６を構成する梁本体で、該梁本体７は中空鋼管に防錆処理を施したものからなっている。８は該梁本体７に被挿するからまつ材からなる木製梁カバーを示し、該木製梁カバー８は一対の支柱１、１間に位置して梁本体７に被挿する内側カバー部８Ａと、梁本体７の軸方向両端側７Ａ、７Ａに被挿する左右一対の外側カバー部８Ｂ、８Ｂとから構成してあり、梁本体７に被挿したあ状態でボルト９、９、・・・により固定してある。
【００１４】
ここで、内側カバー部８Ａは、からまつ材の丸太を一対の支柱１、１の間隔と略同一に切断し、梁本体７の外径に合わせて中心をくり抜くことにより軸方向両端が開口した円筒体に成形してある。また、外側カバー部８Ｂは、支柱１から外側に突出する梁本体７の長さと略同一に丸太材を切断し、軸方向一端側を残して梁本体７の外径に合わせて中心をくり抜くことにより、一端側が閉塞した有底の円筒体に成形してある。かくして、木製梁カバー８の全長は梁本体７の全長より短く設定してあり、支柱１と接合する部分で梁本体７の一部が露出するようになっている。
【００１５】
各梁材６は上述の構成からなっており、梁本体７の露出する部分を支柱本体２の後側対向片２ＢにＵボルト・ナット１０及びボルト・ナット１１を用いて十字状に締着してある。そして、梁材６を構成する木製梁カバー８及び木製支柱カバー４は、梁本体７に被挿する前に防腐加工と耐候性塗装処理を施してある。
【００１６】
なお、図中、１２、１２は交差させて一対の支柱１、１間に張設した補強用のブレースロッドで、該各ブレースロッド１２は先端金具１２Ａをボルト・ナット１３、１３によって支柱１に連結してある。また、１４、１４、１５、１５は支柱１、１を地盤Ａに固定するための上、下のサブワイヤロープで、該サブワイヤロープ１４、１５は先端が支柱１の上、下端側に溶接手段により固着したブラケット１６に連結してあり、後端側は図示しないシャツクルを介してメインワイヤロープに連結してある。
【００１７】
本実施の形態に係る雪崩防止柵は上述の構成からなり、その設置場所や設置方法は従来の雪崩防止柵と実質的に異なるところはない。しかし、雪崩防止柵を構成する支柱１はＨ型鋼材を支柱本体２とし、梁材６は円柱鋼管を梁本体７として連結してあるから、防災性能に優れているし、耐久性にも優れており、また現場での組み立ても容易に行うことができる。しかも、支柱本体２の前面は木製支柱カバー４で覆い、梁本体７は外周を木製梁カバー８で覆った構成にしたから、自然景観に調和することができる。また、梁本体７の腐食を防止する効果があるし、支柱本体２及び梁本体７が発錆の原因になる損傷を外部から受けるといった事態を防止できる。
【００１８】
なお、本実施の形態では、木製支柱カバー４及び木製梁カバー８に間伐材のからまつ材を利用したから、外観的に親しみと温もりがあって周囲の自然環境に調和した雪崩防止柵になり、景観を向上できる。また、積極的な利用促進が期待されている間伐材を有効に利用することができると共に、製作費を低減できる。
【００１９】
また、本実施の形態では木製梁カバー８を構成する外側カバー部８Ｂは、軸方向突端が閉塞した有底の木製筒体に形成したが、軸方向両端が開口した筒体に形成することもできる。
【図面の簡単な説明】
【００２０】
【図１】本考案の実施の形態に係る雪崩防止柵の正面図である。
【図２】雪崩防止柵の背面図である。
【図３】雪崩防止柵の平面図である。
【図４】雪崩防止柵の部分拡大平面図である。
【図５】雪崩防止柵の右側面図である。
【符号の説明】
【００２１】
１        支柱
２        支柱本体
４        木製支柱カバー
６        梁材
７        梁本体
８        木製梁カバー
８Ａ      内側カバー部
８Ｂ      外側カバー部
【図１】
0003106390.tif 000003
【図２】
0003106390.tif 000004
【図３】
0003106390.tif 000005
【図４】
0003106390.tif 000006
【図５】
0003106390.tif 000007